(57)【要約】【課題】夜間視力の正確な測定を維持しつつ、小型化を図ることが出来る夜間視力計の提供。【解決手段】接眼部３と明順応用光源１０ａ、１０ｂの間の接眼部３近傍に、拡散板２１ａ、２１ｂを光路Ｐに対して挿脱自在に設けて、明順応用光源１０ａ、１０ｂにより拡散板２１ａ、２１ｂを介して被検眼４ａ、４ｂが照明されると、被検眼４ａ、４ｂは、照明された拡散板２１ａ、２１ｂにより明順応されるので、従来のようなボックス型の内部カバーを設けることなく、被検眼４ａ、４ｂを確実に明順応させることが出来、これにより、夜間視力の正確な測定を維持しつつ、夜間視力計１の小型化を図ることが出来る。【選択図】　図２
2004016687.tif 000002
【特許請求の範囲】
【請求項１】
接眼部、視標照明光源、前記接眼部と前記視標照明光源との間の光路上に設けられた視標、及び明順応用光源を有し、該明順応用光源により被検眼を明順応させた後、前記視標照明光源により低い輝度で照明された前記視標の見え具合を測定することが出来る夜間視力計において、
前記接眼部と前記明順応用光源の間の前記接眼部近傍に拡散板を前記光路に対して挿脱自在に設けて構成した夜間視力計。
【請求項２】
前記拡散板を保持し、かつ回動自在なシャッタを設け、
前記拡散板は、前記シャッタの回動により、前記光路上に挿脱自在に構成したことを特徴とする請求項１記載の夜間視力計。
【請求項３】
前記明順応用光源は、前記拡散板と共に、前記光路に対して同期的に挿脱自在に構成したことを特徴とする請求項１または２記載の夜間視力計。
【請求項４】
前記明順応用光源は、前記拡散板の近傍に配置したことを特徴とする請求項１記載の夜間視力計。
【発明の詳細な説明】
【０００１】
【発明の属する技術分野】
本発明は、低い輝度で照明された視標の見え具合を測定することが出来る夜間視力計に関する。
【０００２】
【従来の技術】
従来、視力には、静止する視標を認識する通常視力や、動く視標を認識する動体視力の他、夜間視力などがあり、例えば特開２０００−１２６１３０公報に開示されているように、夜間視力を測定する夜間視力計が提案されている。該夜間視力計は、日中に自動車を運転する際、暗いトンネルに進入した状態などを想定して、被検眼が十分な視野角（視野空間）を確保し得るように、ボックス型の内部カバーが設けられており、十分な輝度を有す照明ランプで照明した内部カバー内を、被検者が例えば３０秒間見た後、低照度下における視標を認識するまでの時間を測定する方法が採用されている。これにより、被検眼を確実に明順応させることが出来、正確な夜間視力を測定することが出来る。
【０００３】
しかし、上述した夜間視力計は、視野角（視野空間）を確保するためボックス型などの内部カバーを設ける必要があり、そのため夜間視力計の大型化を招き、その小型化を図ることが困難な問題がある。また、上述した静止視力、動体視力、夜間視力などの複数種類の視力測定が可能な複合機を構成する場合、内部カバーが必要な夜間視力計を組合わせるために、上記複合機が大型化する問題がある。
【０００４】
【発明が解決しようとする課題】
本発明は、上記した事情に鑑み、夜間視力の正確な測定を維持しつつ、夜間視力計の小型化を図ることが出来る夜間視力計を提供することを目的とするものである。
【０００５】
【課題を解決するための手段】
即ち本発明のうち第１の発明は、接眼部（３）、視標照明光源（９）、前記接眼部（３）と前記視標照明光源（９）との間の光路（Ｐ）上に設けられた視標（１２ｘ）、及び明順応用光源（１０ａ、１０ｂ、１０ｃ、１０ｄ、１０ｅ、１０ｆ）を有し、該明順応用光源（１０ａ、１０ｂ、１０ｃ、１０ｄ、１０ｅ、１０ｆ）により被検眼（４ａ、４ｂ）を明順応させた後、前記視標照明光源（９）により低い輝度で照明された前記視標（１２ｘ）の見え具合を測定することが出来る夜間視力計（１）において、前記接眼部（３）と前記明順応用光源（１０ａ、１０ｂ、１０ｃ、１０ｄ、１０ｅ、１０ｆ）の間の前記接眼部（３）近傍に拡散板（２１ａ、２１ｂ、２１ｃ、２１ｄ、２１ｅ、２１ｆ）を前記光路（Ｐ）に対して挿脱自在に設けて構成したことを特徴とする。
【０００６】
また本発明のうち第２の発明は、前記拡散板（２１ａ、２１ｂ、２１ｅ、２１ｆ）を保持し、かつ回動自在なシャッタ（１８、２４）を設け、前記拡散板（２１ａ、２１ｂ、２１ｅ、２１ｆ）は、前記シャッタ（１８、２４）の回動により、前記光路（Ｐ）上に挿脱自在に構成したことを特徴とする。
【０００７】
また本発明のうち第３の発明は、前記明順応用光源（１０ｃ、１０ｄ、１０ｅ、１０ｆ）は、前記拡散板（２１ｃ、２１ｄ、２１ｅ、２１ｆ）と共に、前記光路（Ｐ）に対して同期的に挿脱自在に構成される。
【０００８】
また本発明のうち第４の発明は、前記明順応用光源（１０ｃ、１０ｄ、１０ｅ、１０ｆ）は、前記拡散板（２１ｃ、２１ｄ、２１ｅ、２１ｆ）の近傍に配置したことを特徴とする。
【０００９】
【発明の効果】
以上説明したように本発明のうち第１の発明は、明順応用光源による照明は、接眼部と明順応光源との間の接眼部近傍に設けられた拡散板を介して、被検眼を明順応するので、従来のようなボックス型の内部カバーを設けることなく、被検眼を確実に明順応させることが出来、これにより、夜間視力の正確な測定を維持しつつ、夜間視力計の小型化を図ることが出来る。
【００１０】
また本発明のうち第２の発明は、シャッタが拡散板と共に回動されて、拡散板またはシャッタが光路上に挿入されるので、被検眼が明順応された後、夜間視力を測定する際、拡散板の離脱とシャッタの挿入を同時に行なうことが出来、明順応後速やかに夜間視力を測定することが出来る。
【００１１】
また本発明のうち第３の発明は、明順応用光源は、拡散板と共に光路に対して同期的に挿脱されるので、明順応用光源を光路上に配置する場合であっても、被検眼を明順応させた後、明順応用光源を光路から脱離させて、速やかに夜間視力を測定することが出来、これにより、拡散板を効率良く照明することが出来、夜間視力を更に正確に測定することが出来る。また、シャッタが拡散板と共に回動される場合にあっては、明順応用光源、シャッタ、及び拡散板を光路に対し挿脱自在にするアクチュエータが１つで足り、これにより、更に夜間視力計の小型化を図ることが出来ると共に、夜間視力計の製造コストを低減することが出来る。
【００１２】
また本発明のうち第４の発明は、明順応用光源は、拡散板の近傍に配置されるので、拡散板を更に効率良く照明することが出来、これにより、比較的輝度の低い光源であっても、被検眼を確実に明順応することが出来る。
【００１３】
なお、括弧内の番号等は、図面における対応する要素を示す便宜的なものであり、従って、本記述は図面上の記載に限定拘束されるものではない。
【００１４】
【発明の実施の形態】
図１は、本発明が適用される夜間視力計の一例を示す図で、（ａ）は正面図、（ｂ）は側面図、図２は、本発明に係る夜間視力計の第１の実施の形態の構成を示す図で、（ａ）は構成図、（ｂ）は拡散板を保持したシャッタの正面図、（ｃ）は視標板の正面図、図３は、本発明に係る夜間視力計の第２の実施の形態を示す構成図、図４は、本発明に係る夜間視力計の第３の実施の形態を示す構成図である。
【００１５】
以下、本発明に係る夜間視力計１を、第１の実施の形態ないし第３の実施の形態に沿って説明する。
＜第１の実施の形態＞
本発明が適用される夜間視力計１は、図１（ａ）に示すように、本体２の正面に接眼部３が設けられており、また同図（ｂ）に示すように、本体２の側面に所定のスイッチを有する操作パネル５が設けられている。
【００１６】
接眼部３は、被検者が本体２の内部に設けられた視標（後述）を観察出来るように、双眼の検査窓３ａ、３ｂを備えている。また、被検者が観察を良好に出来るように接眼部３の上方には、ガイド６に沿って暗幕７が伸縮自在に設けられている。更に、本体２の正面下方には、被検者が視標を認識して応答自在な応答スイッチ８が設けられている。
【００１７】
次いで本体２の内部には、図２（ａ）右下方に示す光学装置２ａと、同図（ａ）左上方に示す制御装置２ｂが設けられている。
【００１８】
光学装置２ａは、光源として、視標を照明する視標照明光源９と、被検眼４ａ、４ｂを明順応させる明順応用光源１０ａ、１０ｂを備えており、視標照明光源９と、接眼部３との光路Ｐ（図２（ａ）に示す破線）間に、視標板１２、合焦レンズ１３、プリズム１４、補正レンズ１５、ビームスプリッタ１６、ハーフミラー１７ａ、１７ｂ、及びシャッタ１８を備えている。また、ハーフミラー１７ａ、１７ｂを透過する光路Ｐの延長上には、明順応用光源１０ａ、１０ｂがそれぞれ設けられている。
【００１９】
視標照明光源９、及び明順応用光源１０ａ、１０ｂは、共に例えば白色発光ダイオード（以下、単に「白色ＬＥＤ」という）からなる。なお、視標照明光源９は、視標を適当に照明し得る光源であればいずれの光源であってもよく、また、明順応用光源１０ａ、１０ｂも、被検眼４ａ、４ｂを明順応させ得る所定輝度を有する光源であればいずれの光源であってもよい。これらいずれの光源９、１０ａ、１０ｂも、例えばハロゲンランプでもよいが、視標照明光源９、及び明順応用光源１０ａ、１０ｂが、同じ種類の光源であることが望ましい。
【００２０】
視標板１２は、図２（ｃ）に示すように円板状に形成されており、透過性のガラスからなる。該円板上には、上下左右４方向に切れ目を有する複数のランドルト氏環の視標１２ａ、１２ｂ、…が、遮光性の適当なコーティング材により形成されて同心円状に配置されている。また、上記視標１２ａ、１２ｂ、…のうち、所定の視標１２ｘは（例えば視力値０．２に対応する視標は）、夜間視力用の視標として使用される。そして、該円板の視標板回転中心１９は、視標板１２を矢印方向に回動自在となるように、例えばステッピングモータからなる視標板回転用モータ２０の回転軸と係合されている。
【００２１】
合焦レンズ１３は、視力測定の際、接眼部３と視標１２ａ、１２ｂ、…の光学距離を、例えば見かけ上５［ｍ］に設定し得る所定の屈折率を有すレンズであり、補正レンズ１５と組合せて適宜調整される。またプリズム１４は、動体視力測定の際、上記光学距離を変化し得るように、プリズム移動用モータ２１により矢印方向に移動自在に設けられている。
【００２２】
シャッタ１８は、視標照明光源９の照明を遮蔽し得る遮光性を有する適当な材料からなり、光路Ｐ上において接眼部３近傍に配設されている。また、シャッタ１８は、図２（ｂ）に示すように例えば略半円板状に形成されると共に、被検眼４ａ、４ｂの間隔に応じた所定間隔を介して穿設された穴部１８ａ、１８ｂに、拡散板２１ａ、２１ｂを保持している。
【００２３】
拡散板２１ａ、２１ｂは、明順応用光源１０ａ、１０ｂによる照明を所定量透過し得る、例えば略円形状の半透明のガラスからなり、接眼部３と明順応用光源１０ａ、１０ｂとの間の接眼部３近傍に、上記シャッタ１８と共に配設されており、接眼部３との距離に応じて被検眼４ａ、４ｂの視野角（視野空間）を十分覆い得る大きさ（所定の半径）を有している。
【００２４】
なお、一例として略円形状で半透明のガラスからなる拡散板２１ａ、２１ｂを示したが、接眼部３との距離に応じて視野角（視野空間）を十分覆い得る大きさがあればいずれの形状であってもよいが、視野空間に応じる関係上、円形状が好ましい。また、明順応用光源１０ａ、１０ｂによる照明を所定量透過して被検眼４ａ、４ｂを明順応させ得る材料であればいずれのものであってもよく、例えば半透明のプラスチック、半透明のセラミックなどであってもよいが、透過光を広く拡散させ得る乳白色のプラスチックなどが好ましい。
【００２５】
そして、拡散板２１ａ、２１ｂを介して明順応用光源１０ａ、１０ｂの光を被検眼４ａ、４ｂに見せるか、拡散板２１ａ、２１ｂを介さずに視標１２ａ、１２ｂ、…を見せるか選択し得るように、即ち、拡散板２１ａ、２１ｂまたはシャッタ１８が光路Ｐ上に挿脱自在となるように、シャッタ１８のシャッタ回転中心１８ｃは、シャッタ回転用モータ２２の回転軸と矢印方向に回動自在に係合されている。
【００２６】
次いで、制御装置２ｂは、図２（ａ）上方に示すように、ＣＰＵ（中央処理演算装置）３０を有しており、該ＣＰＵ３０には、表示器３１、メモリ３２、及びクロック３３、視力測定中における被検眼の瞬きなどを防止するランプ４２、またインターフェース３４を介して、各視力測定を選択し得る（静止）視力スイッチ３５、動体視力スイッチ３６、コントラスト視力スイッチ３７、及び夜間視力スイッチ３８、並びに輝度調整３９、応答スイッチ８、自動測定の進行を促す音声を出力する音声ガイダンス４１、所定の視力値に応じた視標を選択し得る視力変更スイッチ４３、左眼、右眼、または両眼のいずれかを選択し得る選択眼スイッチ４４、ランドルト氏環の切れ目方向を切換え得る視標スイッチ４５、及びランプ４２の点灯感度を調節する感度調節４６などが接続されている。
【００２７】
また、上記表示器３１、視力スイッチ３５、動体視力スイッチ３６、コントラスト視力スイッチ３７、夜間視力スイッチ３８、輝度調整３９、音声ガイダンス４１、視力変更スイッチ４３、選択眼スイッチ４４、視標スイッチ４５、及び感度調節４６は、図１（ｂ）に示す操作パネル５上の適当な位置に配設されている。
【００２８】
更に、ＣＰＵ３０は、光学装置２ａを構成する視標照明光源９、明順応用光源１０ａ、１０ｂ、視標板回転用モータ２０、プリズム移動用モータ２１、及びシャッタ回転用モータ２２などに、所定出力の電源（不図示）を介して接続されている。
【００２９】
夜間視力計１は、以上のような構成を有するので、夜間視力を測定する際には、まず、夜間視力スイッチ３８を押下することにより、夜間視力測定が開始される。即ちＣＰＵ３０が、電源（不図示）に所定信号を伝送することより、シャッタ回転用モータ２２にシャッタ１８を回動させ、拡散板１８ａ、１８ｂが被検眼４ａ、４ｂの視野角を覆う形に、それぞれ検査窓３ａ、３ｂの位置に配置される。
【００３０】
また、ＣＰＵ３０は、上述と同様に電源（不図示）に所定信号を伝送することより、視標板回転用モータ２０に視標板１２を回動させ、夜間視力用の視標１２ｘが選択されて光路Ｐ上に配置される。これと共にＣＰＵ３０は、上述と同様に所定信号を伝送し、視標照明光源９を点灯させ、夜間視力用の視標１２ｘは、拡散板１２を介して視標照明光源９により照明される。視標照明光源９による照明は、合焦レンズ１３、プリズム１４、及び補正レンズ１５を介して、ビームスプリッタ１６で左右に分岐され、ハーフミラー１７ａ、１７ｂによる反射によってそれぞれ左右の検査窓３ａ、３ｂに到達する。これにより、光路Ｐが形成され、被検者は、検査窓３ａ、３ｂを通して視標１２ｘを観察出来るようにされる。なお、視標照明光源９の輝度は、輝度調整３９により夜間における視力を測定するに十分な低い輝度に適宜調整される。
【００３１】
次いで、ＣＰＵ３０は、電源（不図示）に所定信号を伝送し、明順応用光源１０ａ、１０ｂを点灯させ、明順応用光源１０ａ、１０ｂは、ハーフミラー１７ａ、１７ｂを介して拡散板２１ａ、２１ｂをそれぞれ照明する。拡散板２１ａ、２１ｂは、明順応用光源１０ａ、１０ｂによる照明を所定量を透過させ、被検眼４ａ、４ｂを、例えば５、７００［ｃｄ／ｍ２］の輝度で照明する。これにより、被検者が見る視界の略全体は、明順応用光源１０ａ、１０ｂにより照明された拡散板２１ａ、２１ｂに覆われた形で、被検眼４ａ、４ｂは明順応される。
【００３２】
そして、ＣＰＵ３０は、クロック３３により、例えば明順応用光源１０ａ、１０ｂの点灯から３０秒が経過したことを計数した際、電源（不図示）に所定信号を伝送し、明順応用光源１０ａ、１０ｂを消灯すると共に、直ちにシャッタ１８を約１８０°回動させ、夜間視力用の視標１２ｘを観察出来る状態にする。また、片眼を測定する場合は、シャッタ１８を所定矢印方向に約９０°回動させる。
【００３３】
明順応された被検眼４ａ、４ｂは、ほぼ暗闇状態で次第に暗順応され、被検者は、上記視標１２ｘのランドルト氏環の切れ目を識別出来たところで、応答スイッチ８を押下する。これによりＣＰＵ３０は、クロック３３により明順応用光源１０ａ、１０ｂの消灯からの経過時間を測定し、操作パネル５の表示器３１に該経過時間を表示する。こうして、上記経過時間から所定の特性曲線に基づき夜間視力が測定される。
【００３４】
以上のように、明順応用光源１０ａ、１０ｂによる照明は、接眼部３と明順応光源１０ａ、１０ｂとの間の接眼部３近傍に設けられた拡散板２１ａ、２１ｂを介して、被検眼４ａ、４ｂを明順応するので、従来のようなボックス型の内部カバーを設けることなく、被検眼４ａ、４ｂを確実に明順応させることが出来、これにより、夜間視力の正確な測定を維持しつつ、夜間視力計１の小型化を図ることが出来る。また、夜間視力のみならず、動体視力、コントラスト視力などの複数種類の視力を測定可能な複合機を構成する場合であっても、上記夜間視力計１を組合わせることによって、複合機の大型化を防止することが出来る。
【００３５】
また、シャッタ１８が拡散板２１ａ、２１ｂと共に回動されて、拡散板２１ａ、２１ｂまたはシャッタ１８が光路Ｐ上に挿入されるので、被検眼４ａ、４ｂが明順応された後、夜間視力を測定する際、拡散板２１ａ、２１ｂの離脱とシャッタ１８の挿入を同時に行なうことが出来、明順応後速やかに夜間視力を測定することが出来る。
【００３６】
なお、上述した実施の形態において、夜間視力の測定のみについて説明したが、これに限らず他の視力、例えば静止視力、動体視力なども併せて測定してもよく、更に、光路Ｐに不図示の減光フィルムを介して視標の背景濃度を低コントラスト状態とし、コントラスト視力を併せて測定してもよい。また、上述した実施の形態において、手動による視力測定について説明したが、これに限らず、例えば自動による測定、半自動による測定であっても本発明を適用することが出来るのは勿論である。
＜第２の実施の形態＞
次いで、上記第１の実施の形態を一部変更した第２の実施の形態について説明する。なお、本第２の実施の形態においては、一部変更部分を除き、同様な部分はその説明を省略する。
【００３７】
第２の実施の形態における夜間視力計１の光学装置２ａは、図３（ａ）に示すように、第１の実施の形態と異なり、明順応用光源１０ｃ、１０ｄが、ビームスプリッタ１６からの光を略全反射するミラー２６ａ、２６ｂと、接眼部３との間の光路Ｐ（図３に示す破線）上に設けられて構成されている。また、明順応用光源１０ｃ、１０ｄは、保持板２５ａ、２５ｂが有する穿設された穴部にそれぞれ保持されており、視標照明光源９と、接眼部３との間の光路Ｐ上において拡散板２１ｃ、２１ｄ近傍に配設されている。
【００３８】
なお、明順応用光源１０ｃ、１０ｄの配設する位置の一例として視標照明光源９と、接眼部３との間の光路Ｐ上を示したが、視標照明光源９と、接眼部３との間の拡散板２１ｃ、２１ｄ近傍に配設され、明順応用光源１０ｃ、１０ｄが拡散板２１ｃ、２１ｄを介し被検眼を明順応し得るものであればいずれの位置であってもよく、例えば、上記光路Ｐ上になく拡散板２１ｃ、２１ｄを斜めに照明する位置でもよい。
【００３９】
拡散板２１ｃ、２１ｄは、第１の実施の形態で示した拡散板２１ａ、２１ｂと同様に、接眼部３の近傍に配設されており、明順応用光源１０ｃ、１０ｄによる照明を所定量透過し得る、例えば半透明のガラスからなると共に、被検眼４ａ、４ｂの視野角を十分覆い得る大きさの、例えば所定の半径の略円形状に形成されている。また、拡散板２１ｃ、２１ｄは、第１の実施の形態で示したようにシャッタ１８に保持されておらず、左眼側の拡散板２１ｃは、明順応用光源１０ｃを保持する保持板２５ａと一体に、また右眼側の拡散板２１ｄは、明順応用光源１０ｄを保持する保持板２５ｂと一体に、ソレノイドなどからなる所定のアクチュエータ（不図示）により、それぞれ独立して光路Ｐに対し矢印方向に同期的に挿脱自在に設けられている。なお、上記挿脱自在とは、光路Ｐに対し移動自在であることをいい、該移動は本第２の実施の形態で示す直線移動に限らず、曲線的な移動など、例えば回動することにより挿脱自在であってもよい。
【００４０】
また、拡散板２１ｃ、２１ｄと、接眼部３との間の光路Ｐには、シャッタ２３ａ、２３ｂが設けられている。シャッタ２３ａ、２３ｂは、拡散板２１ｃ、２１ｄと同様に、左右両眼に対応して分離されてそれぞれが例えば円形状からなり、被検眼４ａ、４ｂの視野角を十分覆い得る大きさ（所定の半径）を有している。また、シャッタ２３ａ、２３ｂは、第１の実施の形態で示したシャッタ１２と同様に、視標照明光源９の照明を遮蔽し得る遮光性を有する適当な材料からなる。
【００４１】
そして、シャッタ２３ａ、２３ｂは、拡散板２１ｃ、２１ｄと同様に、光路Ｐに対しそれぞれ独立して挿脱出来るように、所定のアクチュエータ（不図示）により移動自在に設けられている。即ち、シャッタ２３ａ、２３ｂと、拡散板２１ｃ、２１ｄ及び明順応用光源１０ｃ、１０ｄは、それぞれ独立して光路Ｐから挿脱されて、左眼、右眼、または両眼のいずれも視力測定が出来るように設けられている。
【００４２】
次いで、制御装置２ｂのＣＰＵ３０は、第１の実施の形態に加えて、上述したアクチュエータ（不図示）を介して、シャッタ２３ａ、２３ｂと、拡散板２１ｃ、２１ｄ及び保持板２５ａ、２５ｂに接続されている。
【００４３】
夜間視力計１は、以上のような構成を有するので、夜間視力を測定する際には、ＣＰＵ３０は、所定のアクチュエータ（不図示）に所定信号を伝送することより、拡散板２１ｃ及び明順応用光源１０ｃと、拡散板２１ｄ及び明順応用光源１０ｄとが、それぞれ光路Ｐ上に同期的に挿入されると共に、両シャッタ２３ａ、２３ｂが光路Ｐから離脱される。またＣＰＵ３０は、視標板１２を回動させることより、夜間用視標１２ｘを選択・配置すると共に、視標照明光源９を点灯する。これにより、視標照明光源９による照明は、合焦レンズ１３、プリズム１４、及び補正レンズ１５を介して、ビームスプリッタ１６で左右に分岐され、ミラー２６ａ、２６ｂにより略全反射されて、それぞれ左右の検査窓３ａ、３ｂに到達する。
【００４４】
次いで、ＣＰＵ３０は、上述と同様に所定信号を伝送し、明順応用光源１０ａ、１０ｂを点灯させ、拡散板２１ｃ、２１ｄをそれぞれ照明する。これにより、被検者が見る視界の略全体は、第１の実施の形態と同様に、明順応用光源１０ｃ、１０ｄにより照明された拡散板２１ｃ、２１ｄに覆われた形で、被検眼４ａ、４ｂが明順応される。
【００４５】
そして例えば３０秒経過後、ＣＰＵ３０は、電源（不図示）に所定信号を伝送し、明順応用光源１０ｃ、１０ｄを消灯すると共に、直ちに拡散板２１ｃ及び明順応用光源１０ｃと、拡散板２１ｄ及び明順応用光源１０ｄとを、それぞれ光路Ｐから同期的に離脱させる。なお、右眼測定する際は、左眼側のシャッタ２３ａが光路Ｐ上に挿入され、また左眼測定する際は、右眼側のシャッタ２３ｂが光路Ｐ上に挿入される。
【００４６】
被検眼４ａ、４ｂは、第１の実施の形態と同様に、次第に暗順応されていき、夜間視力用の視標１２ｘを識別出来たところで、応答スイッチ８を押下し、明順応用光源１０ｃ、１０ｄの消灯から該押下までの経過時間を測定されると共に、表示器３１に該経過時間を表示される。こうして、上記経過時間から所定の特性曲線に基づき夜間視力が測定される。
【００４７】
以上のように、第２の実施の形態によると、明順応用光源１０ｃ、１０ｄによる照明は、接眼部３と明順応光源１０ｃ、１０ｄとの間の接眼部３近傍に設けられた拡散板２１ｃ、２１ｄを介して、被検眼４ａ、４ｂを明順応するので、被検眼４ａ、４ｂを確実に明順応させることが出来、これにより、夜間視力の正確な測定を維持しつつ、夜間視力計１の小型化を図ることが出来る。
【００４８】
また、第１の実施の形態と異なり、明順応用光源１０ｃ、１０ｄが、拡散板２１ｃ、２１ｄと共に光路Ｐに対して同期的に挿脱されるので、明順応用光源１０ｃ、１０ｄを光路Ｐ上に配置する場合であっても、被検眼４ａ、４ｂを明順応させた後、明順応用光源１０ｃ、１０ｄを光路Ｐから脱離させて、速やかに夜間視力を測定することが出来、これにより、拡散板２１ｃ、２１ｄを効率良く照明することが出来、夜間視力を更に正確に測定することが出来る。
【００４９】
更に、明順応用光源１０ｃ、１０ｄは、拡散板２１ｃ、２１ｄ近傍に設けられているので、ハーフミラー１７ａ、１７ｂ（図２（ａ）参照）を不要とすることが出来、拡散板２１ｃ、２１ｄを更に効率良く照明することが出来る。これにより、比較的輝度が低い光源であっても、被検眼４ａ、４ｂを確実に明順応させることが出来、正確な夜間視力の測定をすることが出来る。
＜第３の実施の形態＞
次いで、上記第１の実施の形態を一部変更した第３の実施の形態について説明する。なお、本第３の実施の形態においては、第２の実施の形態と同様に、一部変更部分を除き同様な部分はその説明を省略する。
【００５０】
第３の実施の形態における夜間視力計１の光学装置２ａは、図４に示すように、第２の実施の形態と同様に、明順応用光源１０ｅ、１０ｆが、視標照明光源９と、接眼部３との間の光路Ｐ（図４に示す破線）において拡散板２１ｅ、２１ｆ近傍に設けられている。また、明順応用光源１０ｅ、１０ｆは、保持板２５ｃが有する、被検眼４ａ、４ｂの間隔に応じた所定間隔を介して穿設された穴部に、それぞれ保持されている。更に拡散板２１ｅ、２１ｆと、接眼部３との間の光路Ｐには、第１の実施の形態のシャッタ１８（図２（ｂ）参照）と同様に形成されたシャッタ２４が設けられている。
【００５１】
また、シャッタ２４は、左眼側の拡散板２１ｅと明順応用光源１０ｅが、また右眼側の拡散板２１ｆと明順応用光源１０ｆが、光路Ｐに対しそれぞれ同期的に挿脱出来るように、互いに向かい合う配置で保持板２５ｃと回転用モータ２８の回転軸を介して一体に正逆方向に回動自在に係合されている。
【００５２】
次いで、制御装置２ｂのＣＰＵ３０は、第１の実施の形態に加えて、所定の電源（不図示）を介して、回転用モータ２８、明順応用光源１０ｅ、１０ｆ、及び視標照明光源９に接続されている。
【００５３】
夜間視力計１は、以上のような構成を有するので、夜間視力を測定する際には、ＣＰＵ３０は、回転用モータ２８に所定信号を伝送することより、シャッタ２４と、保持板２５ｃを一体に回動させ、拡散板２１ｅ及び明順応用光源１０ｅと、拡散板２１ｆ及び明順応用光源１０ｆとが、それぞれ光路Ｐ上に同期的に挿入される。
【００５４】
次いで、上述と同様に、夜間用視標１２ｘを選択・配置すると共に、視標照明光源９を点灯し、更に明順応用光源１０ｅ、１０ｆを点灯する。明順応用光源１０ｅ、１０ｆにより、拡散板２１ｅ、２１ｆがそれぞれ照明され、被検眼４ａ、４ｂが明順応される。
【００５５】
そして例えば３０秒経過後、ＣＰＵ３０は、明順応用光源１０ｅ、１０ｆを消灯して回転用モータ２８に所定信号を伝送することより、シャッタ２４と、保持板２５ｃを一体に例えば約１８０°回動させ、拡散板２１ｃ及び明順応用光源１０ｅと、拡散板２１ｄ及び明順応用光源１０ｆとが、それぞれ光路Ｐから同期的に離脱される。
【００５６】
被検眼４ａ、４ｂは、第１及び第２の実施の形態と同様に、次第に暗順応されていき、夜間視力用の視標１２ｘを識別出来たところで、応答スイッチ８を押下し、明順応用光源１０ｅ、１０ｆの消灯から該押下までの経過時間を測定されると共に、表示器３１に該経過時間が表示される。こうして、上記経過時間から所定の特性曲線に基づき夜間視力が測定される。
【００５７】
以上のように、第３の実施の形態によると、明順応用光源１０ｅ、１０ｆによる照明は、接眼部３と明順応光源１０ｅ、１０ｆとの間の接眼部３近傍に設けられた拡散板２１ｅ、２１ｆを介して、被検眼４ａ、４ｂを明順応するので、被検眼４ａ、４ｂを確実に明順応させることが出来、これにより、夜間視力の正確な測定を維持しつつ、夜間視力計１の小型化を図ることが出来る。
【００５８】
また、第２の実施の形態と同様に、明順応用光源１０ｅ、１０ｆが、拡散板２１ｅ、２１ｆと共に光路Ｐに対して同期的に挿脱されるので、拡散板２１ｅ、２１ｆを効率良く照明することが出来、夜間視力を更に正確に測定することが出来る。また、明順応用光源１０ｅ、１０ｆが、拡散板２１ｅ、２１ｆ近傍に設けられているので、ハーフミラー１７ａ、１７ｂ（図２（ａ）参照）を不要とすることが出来、比較的輝度が低い光源であっても、被検眼４ａ、４ｂを確実に明順応させることが出来、正確な夜間視力の測定をすることが出来る。
【００５９】
更に、第２の実施の形態と異なり、回転用モータ２８によりシャッタ２４と保持板２５ｃが一体に回動されるので、１つのモータ（アクチュエータ）で光路Ｐに対する挿脱を可能とすることが出来、これにより、更に夜間視力計１の小型化を図ることが出来ると共に、夜間視力計の製造コストを低減することが出来る。
【図面の簡単な説明】
【図１】図１は、本発明が適用される夜間視力計の一例を示す図で、（ａ）は正面図、（ｂ）は側面図である。
【図２】図２は、本発明に係る夜間視力計の第１の実施の形態の構成を示す図で、（ａ）は構成図、（ｂ）は拡散板を保持したシャッタの正面図、（ｃ）は視標板の正面図である。
【図３】図３は、本発明に係る夜間視力計の第２の実施の形態を示す構成図である。
【図４】図４は、本発明に係る夜間視力計の第３の実施の形態を示す構成図である。
【符号の説明】
１……夜間視力計
３……接眼部
９……視標照明光源
１０ａ、１０ｂ、１０ｃ、１０ｄ、１０ｅ、１０ｆ……明順応用光源
１２ｘ……視標（夜間視力用の視標）
２１ａ、２１ｂ、２１ｃ、２１ｄ、２１ｅ、２１ｆ……拡散板
１８、２４……シャッタ
Ｐ……光路
【図１】
2004016687.tif 000003
【図２】
2004016687.tif 000004
【図３】
2004016687.tif 000005
【図４】
2004016687.tif 000006